(57)【要約】【課題】利便性の向上と省電力化とを実現することが可能なエレベータ制御装置及びエレベータ制御方法を提供することにある。【解決手段】実施形態によれば、充電された電力を供給可能に構成されるバッテリを利用して停電時にエレベータの運転を制御するエレベータ制御装置が提供される。エレベータ制御装置は、第１の検出手段と、取得手段と、第２の検出手段と、制御手段とを具備する。第１の検出手段は、エレベータ制御装置に電力を供給することによって減少するバッテリの充電残量を検出する。取得手段は、エレベータを利用する利用者が乗りかごに乗車する乗場を含む画像を取得する。第２の検出手段は、取得された画像に基づいて、乗場から乗りかごに乗車すると予測される利用者の人数を検出する。制御手段は、検出されたバッテリの充電残量及び利用者の人数に基づいて、エレベータの運転速度を制御する。【選択図】図２
2017165542.tif 000002
【特許請求の範囲】
【請求項１】
充電された電力を供給可能に構成されるバッテリを利用して停電時にエレベータの運転を制御するエレベータ制御装置において、
前記エレベータ制御装置に電力を供給することによって減少するバッテリの充電残量を検出する第１の検出手段と、
前記エレベータを利用する利用者が乗りかごに乗車する乗場を含む画像を取得する取得手段と、
前記取得された画像に基づいて、前記乗場から乗りかごに乗車すると予測される利用者の人数を検出する第２の検出手段と、
前記検出されたバッテリの充電残量及び前記検出された利用者の人数に基づいて、前記エレベータの運転速度を制御する制御手段と
を具備することを特徴とするエレベータ制御装置。
【請求項２】
前記制御手段は、
前記検出されたバッテリの充電残量及び前記検出された利用者の人数に基づいて、前記エレベータの運転速度を決定し、
前記決定されたエレベータの運転速度に応じた電力を前記バッテリから供給される電力を受けて巻上機を駆動する駆動装置に供給する
ことを特徴とする請求項１記載のエレベータ制御装置。
【請求項３】
前記制御手段は、前記検出されたバッテリの充電残量が予め定められた値以上である場合、前記検出された利用者の人数に応じた第１の運転速度を前記エレベータの運転速度として決定することを特徴とする請求項２記載のエレベータ制御装置。
【請求項４】
前記制御手段は、前記検出されたバッテリの充電残量が予め定められた値未満である場合、前記第１の運転速度よりも遅い第２の運転速度を前記エレベータの運転速度として決定することを特徴とする請求項３記載のエレベータ制御装置。
【請求項５】
前記制御手段は、前記エレベータの回生運転時には前記第２の運転速度よりも早い第３の運転速度を前記エレベータの運転速度として決定することを特徴とする請求項４記載のエレベータ制御装置。
【請求項６】
前記制御手段は、前記検出された利用者の人数が予め定められた値以下である場合、前記バッテリから前記駆動装置への電力の供給を遮断することを特徴とする請求項２記載のエレベータ制御装置。
【請求項７】
前記制御手段は、前記検出されたバッテリの充電残量が予め定められた値未満である場合、前記乗場で待機する利用者に当該バッテリの充電残量が少ないことを通知することを特徴とする請求項１記載のエレベータ制御装置。
【請求項８】
前記制御手段は、前記バッテリから前記乗場への電力の供給を遮断または抑制することによって当該乗場で待機する利用者に当該バッテリの充電残量が少ないことを通知することを特徴とする請求項７記載のエレベータ制御装置。
【請求項９】
前記制御手段は、
前記検出されたバッテリの充電残量が予め定められた値未満である場合、前記検出された利用者の人数に基づいて、前記エレベータの回生運転を実施可能であるかを判定し、
前記エレベータの回生運転を実施可能であると判定された場合、前記利用者を乗車させるように前記エレベータの運転を制御する
ことを特徴とする請求項１記載のエレベータ制御装置。
【請求項１０】
前記制御手段は、前記バッテリの劣化に対する影響を抑制するように前記バッテリの充放電量を制御することを特徴とする請求項１記載のエレベータ制御装置。
【請求項１１】
充電された電力を供給可能に構成されるバッテリを利用して停電時にエレベータの運転を制御するエレベータ制御装置が実行するエレベータ制御方法であって、
前記エレベータ制御装置に電力を供給することによって減少するバッテリの充電残量を検出するステップと、
前記エレベータを利用する利用者が乗りかごに乗車する乗場を含む画像を取得するステップと、
前記取得された画像に基づいて、前記乗場から乗りかごに乗車すると予測される利用者の人数を検出するステップと、
前記検出されたバッテリの充電残量及び前記検出された利用者の人数に基づいて、前記エレベータの運転速度を制御するステップと
を具備するエレベータ制御方法。
【発明の詳細な説明】
【技術分野】
【０００１】
本発明の実施形態は、エレベータ制御装置及びエレベータ制御方法に関する。
【背景技術】
【０００２】
一般に、エレベータでは、巻上機（電動機）の回転軸に巻き架けられたロープの両端に乗りかご及びカウンタウェイトが吊り下げられ、当該巻上機の回転によりロープを介して乗りかごがカウンタウェイトと反対方向につるべ式に昇降動作する。なお、巻上機の駆動制御等は、エレベータが設けられているビルの機械室等に設置されたエレベータ制御装置によって行われる。
【０００３】
通常、エレベータ制御装置は、商用電源（三相交流電源）から供給される所要の電力によって動作する。しかしながら、停電時には商用電源からの電力供給が停止される。このため、停電時にエレベータの運転を継続するためには、停電時であってもエレベータ制御装置に電力を供給する仕組みが必要である。
【０００４】
ここで、例えば昇降路の下方向に動く乗りかごの荷重がカウンタウェイトより重い場合、上記した巻上機が発電機として機能して電力が生じる。一方、昇降路の上方向に動く乗りかごの荷重がカウンタウェイトよりも軽い場合も同様に電力が生じる。このように巻上機が発電機として機能することにより生じる電力は回生電力と称され、当該回生電力が生じるようなエレベータの運転は回生運転と称される。
【０００５】
近年のエレベータでは、このような回生電力を利用してバッテリを充電しておき、例えば停電時等に当該バッテリから電力を供給する構成が採用されている。なお、バッテリは、商用電源からの電力供給が可能な通常運転時に当該商用電源から供給される電力を利用して充電することも可能である。
【先行技術文献】
【特許文献】
【０００６】
【特許文献１】特開２０１５−０３７９８６号公報
【発明の概要】
【発明が解決しようとする課題】
【０００７】
ここで、上記した停電時にバッテリから供給される電力によってエレベータを運転する場合を想定する。この場合、バッテリから供給可能な電力には限りがあるため、停電時においては消費電力を抑制するように例えばエレベータ（乗りかご）を低速で移動させる運転（以下、低速運転と表記）が行われるのが一般的である。
【０００８】
この低速運転では、エレベータの運転状況等にかかわらず、予め設定された一定の速度（低速）でエレベータが運転される。しかしながら、エレベータを利用する利用者の利便性を向上させるためには、停電時であっても通常運転時と同程度の速度でエレベータを運転することが望まれている。
【０００９】
また、上記した停電時における低速運転は、停電後の予め設定された時間帯にのみ実施される場合が多い。このため、停電時であっても継続的にエレベータの運転を実施することが望まれている。
【００１０】
すなわち、停電時のエレベータの運転に関しては、例えば通常運転時と同程度の速度でエレベータを運転することによる利便性の向上と、継続的なエレベータの運転を実施する（つまり、エレベータの長時間継続運転を可能にする）ための省電力化とを両立する仕組みが必要である。
【００１１】
そこで、本発明が解決しようとする課題は、利便性の向上と省電力化との双方を実現することが可能なエレベータ制御装置及びエレベータ制御方法を提供することにある。
【課題を解決するための手段】
【００１２】
実施形態によれば、充電された電力を供給可能に構成されるバッテリを利用して停電時にエレベータの運転を制御するエレベータ制御装置が提供される。前記エレベータ制御装置は、第１の検出手段と、取得手段と、第２の検出手段と、制御手段とを具備する。前記第１の検出手段は、前記エレベータ制御装置に電力を供給することによって減少するバッテリの充電残量を検出する。前記取得手段は、前記エレベータを利用する利用者が乗りかごに乗車する乗場を含む画像を取得する。前記第２の検出手段は、前記取得された画像に基づいて、前記乗場から乗りかごに乗車すると予測される利用者の人数を検出する。前記制御手段は、前記検出されたバッテリの充電残量及び前記検出された利用者の人数に基づいて、前記エレベータの運転速度を制御する。
【図面の簡単な説明】
【００１３】
【図１】実施形態に係るエレベータ制御装置を備えるエレベータの構成の一例を示す図。
【図２】エレベータ制御装置に備えられる制御マイコンの機能構成の一例を示すブロック図。
【図３】本実施形態に係るエレベータ制御装置の処理手順を示すフローチャート。
【発明を実施するための形態】
【００１４】
以下、図面を参照して、実施形態について説明する。
【００１５】
図１は、本実施形態に係るエレベータ制御装置を備えるエレベータの構成を示す。図１に示すエレベータは、駆動装置１０、バッテリ装置２０及びエレベータ制御装置３０を備える。
【００１６】
駆動装置１０は、コンバータ１１、平滑コンデンサ１２、インバータ１３を有し、エレベータ制御装置３０の駆動指示に従って巻上機２の駆動に必要な電力を供給する。
【００１７】
なお、コンバータ１１は、商用電源１から供給される交流電圧を直流電圧に変換する。商用電源１は、三相の交流電源からなる。平滑コンデンサ１２は、コンバータ１１によって変換された直流電流のリプルを平滑化する。インバータ１３は、コンバータ１１から平滑コンデンサ１２を介して与えられた直流電圧をＰＷＭ（Pulse Width Modulation）制御により任意の周波数、電圧値の交流電圧に変換し、これを駆動電力として巻上機２に供給する。
【００１８】
巻上機２は、同期電動機からなり、駆動装置１０からの電力供給によって回転する。巻上機２にはシーブ（図示せず）を介してロープ３が巻回されており、当該ロープ３の一端には乗りかご４、他端にはカウンタウェイト５が連結されている。このような巻上機２が回転することによって、ロープ３を介して乗りかご４とカウンタウェイト５とがつるべ式に昇降動作する。
【００１９】
バッテリ装置２０は、駆動装置１０を介して得られる商用電源１からの電力及びエレベータの回生運転時に生じた電力を蓄えるための蓄電装置である。また、バッテリ装置２０は、蓄えられた電力をエレベータの力行運転時に駆動装置１０に供給する。また、バッテリ装置２０は、当該バッテリ装置２０に蓄えられた電力を、エレベータ制御装置３０にも供給可能に構成されている。
【００２０】
なお、回生運転とは、例えば乗りかご４（及び当該乗りかご４に乗車している利用者）の荷重がカウンタウェイト５よりも重い状態で当該乗りかご４を下降方向に移動させる、または乗りかご４の荷重がカウンタウェイト５よりも軽い状態で当該乗りかご４を上昇方向に移動させるような電力を必要としない運転である。一方、力行運転とは、例えば乗りかご４がカウンタウェイト５よりも重い状態で当該乗りかご４を上昇方向に移動させる、または乗りかご４がカウンタウェイト５よりも軽い状態で当該乗りかご４を下降方向に移動させるような電力を必要とする運転である。
【００２１】
バッテリ装置２０は、ＡＣ／ＤＣ変換器２１、ＤＣ／ＤＣ変換器２２、ＤＣ／ＤＣ変換器２３及びバッテリ２４を備える。
【００２２】
ＡＣ／ＤＣ変換器２１のＡＣ側は、エレベータ制御装置３０に接続されている。一方、ＡＣ／ＤＣ変換器２１のＤＣ側は、バッテリ装置２０の直流母線に接続されている。このＡＣ／ＤＣ変換器２１は、ＡＣ（交流電流）からＤＣ（直流電流）への変換機能と、ＤＣ（直流電流）からＡＣ（交流電流）への変換機能を有する。
【００２３】
このようなＡＣ／ＤＣ変換器２１によれば、バッテリ装置２０からエレベータ制御装置３０に対して所要の電力を供給することができる。この場合、バッテリ装置２０の電力（直流電流）をＡＣ／ＤＣ変換器２１で電圧の異なる交流電流に変換してエレベータ制御装置３０に与えている。
【００２４】
ＤＣ／ＤＣ変換器２２は、バッテリ２４の前段に設けられており、ＤＣ（直流電流）から電圧の異なるＤＣ（直流電流）への変換機能を有する。本実施形態において、回生運転時に生じた電力（以下、回生電力と表記）は、駆動装置１０からバッテリ２４に蓄積（供給）される。その際、ＤＣ／ＤＣ変換器２２でバッテリ２４の規格電圧に変換してバッテリ２４に蓄積する。また、ＤＣ／ＤＣ変換器２２は、エレベータの力行運転時にバッテリ２４の電力を駆動装置１０に供給する際に、所定の電圧に変換する。
【００２５】
ＤＣ／ＤＣ変換器２３は、エレベータ制御装置３０（の非常用電源装置）とバッテリ装置２０の直流母線との間に設けられ、ＤＣ（直流電流）から電圧の異なるＤＣ（直流電流）への変換機能を有する。このＤＣ／ＤＣ変換器２３は、駆動装置１０で得られた回生電力またはバッテリ２４の電力をエレベータ制御装置３０の非常用電源として利用する場合に用いられる。
【００２６】
バッテリ２４は、上記したようにエレベータの回生運転によって生じる回生電力及び商用電源から供給される電力を利用して充電されるように構成されている。また、バッテリ２４は、当該バッテリ２４に充電された電力を、駆動装置１０及びエレベータ制御装置３０にを供給可能なように構成されている。バッテリ２４は、大容量かつ高性能な充放電機能を有し、例えばリチウムイオン電池等によって構成される。
【００２７】
エレベータ制御装置３０は、例えば制御盤等と称され、エレベータ全体の制御を行う。エレベータ制御装置３０は、制御電源トランス３１、非常用電源装置３２、制御電源装置３３、照明電源装置３４及び制御マイコン３５を備える。
【００２８】
制御電源トランス３１は、一次側に２種類の異なる電圧を入力可能な構成を有する。この制御電源トランス３１の一次側の一方に商用電源１が接続され、一次側の他方にバッテリ装置２０のＡＣ／ＤＣ変換器２１が接続されており、これらの電力が変圧されて二次側に接続された制御電源装置３３及び照明電源装置３４に与えられる。なお、バッテリ装置２０（バッテリ２４）から供給される電力の電圧値Ｖ２は商用電源１から供給される電力の電圧値Ｖ１よりも低く設定されている（つまり、Ｖ２＜Ｖ１）。
【００２９】
非常用電源装置３２は、非常灯やインターホン等の非常時に用いられる機器に対して所要の電力を供給する装置であり、電力供給回路等を含む。制御電源装置３３は、制御マイコン３５に対して所要の電力を供給する装置であり、電力供給回路等を含む。照明電源装置３４は、乗りかご４内の照明及び空調機器に対して所要の電力を供給する装置であり、電力供給回路等を含む。
【００３０】
これらのうち、制御電源装置３３及び照明電源装置３４は、制御電源トランス３１にて変圧された電力を受けて動作し、非常用電源装置３２についてはバッテリ装置２０からＤＣ／ＤＣ変換器２３を介して直接電力を受けて動作する。
【００３１】
制御マイコン３５は、エレベータ運転制御用のコンピュータである。この制御マイコン３５は、駆動装置１０の駆動制御やバッテリ装置２０の充放電制御等、エレベータの運転に関する全体制御を行う。
【００３２】
また、図中のＳＷ１〜４は、電力供給／遮断切り替え用のスイッチである。ＳＷ１は、商用電源１とエレベータ制御装置３０の電力入力側である制御電源トランス３１との間に接続された三相の電力供給ラインに設けられている。このＳＷ１がＯＮしている場合、商用電源１からエレベータ制御装置３０に対して電力が供給される。
【００３３】
ＳＷ２は、商用電源１と駆動装置１０の電力入力側であるコンバータ１１との間に接続された三相の電力供給ラインに設けられている。このＳＷ２がＯＮしている場合、商用電源１から駆動装置１０に対して電力が供給される。
【００３４】
ＳＷ３は、駆動装置１０及びバッテリ装置２０の直流母線間に接続された２本の電力供給ラインに設けられている。このＳＷ３がＯＮしている場合、駆動装置１０からバッテリ装置２０に対して電力が供給され、また、バッテリ装置２０から駆動装置１０に対して電力が供給される。
【００３５】
ＳＷ４は、バッテリ装置２０の電力出力側であるＡＣ／ＤＣ変換器２１とエレベータ制御装置３０の電力入力側である制御電源トランス３１に接続された三相の電力供給ラインに設けられている。このＳＷ４がＯＮしている場合、バッテリ装置２０からエレベータ制御装置３０に対して電力が供給され、また、エレベータ制御装置３０を通じてバッテリ装置２０に対して電力が供給される。
【００３６】
このような構成によれば、バッテリ装置２０は、駆動装置１０及びエレベータ制御装置３０に対して電力をやり取り可能に接続される。したがって、通常運転時に駆動装置１０で得られた回生電力や商用電源１から供給される電力をバッテリ装置２０に蓄え、当該蓄えた電力を停電時等に駆動装置１０及びエレベータ制御装置３０に与えてエレベータの運転に利用することができる。
【００３７】
エレベータ制御装置３０に備えられる制御マイコン３５には、例えば停電が発生した場合等に、バッテリ２４によって供給される電力を利用してエレベータ（乗りかご４）の運転を継続するための機能が備えられている。
【００３８】
また、本実施形態において、エレベータを利用する利用者が乗りかご４に乗車する各階の乗場（つまり、乗りかご４が着床する乗場）には、当該乗場を含む画像を撮影する機能を有するカメラ４０（画像センサ）が設置されている。このカメラ４０は、エレベータ制御装置３０（に備えられる制御マイコン３５）と接続されている。
【００３９】
図２は、図１に示す制御マイコン３５の機能構成を示すブロック図である。図２に示すように、制御マイコン３５は、停電検出部３５１、バッテリ残量検出部３５２、画像取得部３５３、格納部３５４及び運転制御部３５５を含む。
【００４０】
停電検出部３５１は、商用電源１と駆動装置１０の電力入力側であるコンバータ１１との間に接続された三相の電力供給ラインに流れる電流の有無から停電状態（停電の発生）を検出する。
【００４１】
ここで、上記したように停電時においては、バッテリ装置２０に備えられるバッテリ２４から供給される電力を利用してエレベータが運転される。この場合、バッテリ２４の充電残量は、例えば当該バッテリ２４から駆動装置１０及びエレベータ制御装置３０に電力が供給されることによって減少する。
【００４２】
バッテリ残量検出部３５２は、このようなバッテリ２４の充電残量（以下、バッテリ残量と表記）を検出する。なお、バッテリ残量は、例えばバッテリ２４において測定される端子電圧の電圧レベルから検出（算出）することができる。
【００４３】
画像取得部３５３は、上記したカメラ４０によって撮影された画像（乗場を含む画像）をリアルタイムに順次取得する。
【００４４】
格納部３５４には、例えば停電時におけるエレベータの運転に関する設定情報が予め格納されている。設定情報には、停電時におけるエレベータの運転速度等に関する情報が含まれる。
【００４５】
運転制御部３５５は、駆動装置１０の駆動を制御することによりエレベータの運転を制御する。運転制御部３５５は、解析部３５５ａ及び制御部３５５ｂを含む。
【００４６】
解析部３５５ａは、画像取得部３５３によって取得された画像を解析する。解析部３５５ａは、画像の解析結果に基づいて、当該画像を撮影したカメラ４０が設けられている乗場で待機する利用者の人数を検出する。この解析部３５５ａによって検出される利用者の人数は、例えば乗りかご４に乗車すると予測される利用者の人数である。
【００４７】
制御部３５５ｂは、バッテリ残量検出３５２によって検出されたバッテリ残量及び解析部３５５ａによって検出された利用者の人数に基づいて、エレベータ（乗りかご４）の運転速度を制御する。この場合、制御部３５５ｂは、バッテリの残量及び利用者の人数等の状況（エレベータの運転状況）に応じて、エレベータの運転前に例えば運転速度の設定を変更する。エレベータの運転は、このように設定された運転速度に基づいて行われる。
【００４８】
以下、図３のフローチャートを参照して、本実施形態に係るエレベータ制御装置３０（に備えられる制御マイコン３５）の処理手順について説明する。
【００４９】
ここでは、停電が発生した場合の処理について説明する。すなわち、図３に示す処理は、上記した停電検出部３５１によって停電状態が検出された場合に実行される。
【００５０】
上記したように停電状態が検出された場合、バッテリ残量検出部３５２は、バッテリ装置２０に備えられるバッテリ２４の現在の充電残量（バッテリ残量）を検出する（ステップＳ１）。
【００５１】
次に、制御部３３５ｂは、ステップＳ１において検出されたバッテリ残量（値）が予め定められた値（以下、閾値と表記）以上であるか否かを判定する（ステップＳ２）。なお、ステップＳ２における閾値は、例えば設定情報として格納部３５４に格納されているものとする。
【００５２】
バッテリ残量が閾値以上であると判定された場合（ステップＳ２のＹＥＳ）、画像取得部３５３は、乗場に設けられているカメラ４０によって撮影された画像を当該カメラ４０から取得する（ステップＳ３）。なお、画像取得部３５３によって取得される画像には、乗りかご４に乗車するために乗場で待機する利用者等が含まれる。
【００５３】
解析部３５５ａは、ステップＳ３において取得された画像を解析することによって、当該画像に含まれる人物（利用者）を抽出する。解析部３５５ａは、画像から抽出された人物に基づいて、乗場から乗りかご４に乗車すると予測される利用者の人数（以下、乗車予測人数と表記）を検出する（ステップＳ４）。
【００５４】
なお、ステップＳ３においては各階の乗場に設けられたカメラ４０の各々から画像が取得され、乗車予測人数は、ステップＳ４において当該乗場毎に検出されるものとする。
【００５５】
ここで、利用者が乗りかご４に乗車する各階の乗場には、乗場呼び登録装置が設置されている。乗場呼び登録装置は、利用者が乗りかご４に乗車する乗場の位置（登録階）を登録するための乗場呼びボタンを含む。乗場において乗場呼びボタンを押下する操作が利用者によって行われた場合、利用者によって登録された当該乗場の位置及び行先方向（上方向／下方向）を表す情報（以下、乗場呼び登録情報と表記）が乗場呼び登録装置からエレベータ制御装置３０に出力される。なお、乗場で待機する利用者を乗りかご４に乗車させる場合、運転制御部３５５は、この乗場呼び登録情報に基づいてエレベータの運転を制御する。
【００５６】
なお、上記したステップＳ３における乗車予測人数の検出には、上記した乗場呼び登録装置から出力される乗場呼び登録情報が利用されるものとする。具体的には、例えば各階の乗場のうちの１つの乗場（以下、対象乗場と表記）に設けられたカメラ４０によって撮影された画像から複数人の人物が抽出された場合には、当該人物の数が乗車予測人数として検出されるが、当該対象乗場に設置されている乗場呼び登録装置から乗場呼び登録情報が出力されていない場合には、これらの人物は乗りかご４に乗車する意思（以下、乗車意思と表記）がないものと推測することができる。このような場合、対象乗場における乗車予測人数としては０が検出される。一方、対象乗場に設置されている乗場呼び登録装置から乗場呼び登録情報が出力されている場合には、画像から抽出された人物には乗車意思があるものと推測することができるため、当該人物の数が乗車予測人数として検出される。
【００５７】
ここでは、乗場呼び登録情報に基づいて乗場に存在する人物の乗車意思を推測するものとして説明したが、例えば乗場を含む画像に基づいて当該乗場に存在する人物の乗車意思を推測するような構成としてもよい。具体的には、乗場に存在する人物と当該乗場から乗りかご４に乗車する際に開閉する乗場ドアとの距離や当該人物の向き等に基づいて当該人物の乗車意思を推測してもよい。更に、カメラ４０が動画像を撮影可能な場合には、乗場に存在する人物の動きに基づいて当該人物の乗車意思を推測してもよい。
【００５８】
次に、制御部３５５ｂは、ステップＳ４において検出された乗車予測人数及び格納部３５４に格納されている設定情報に基づいて、エレベータ（乗りかご４）の運転速度を決定する（ステップＳ５）。
【００５９】
ここで、格納部３５４に格納されている設定情報には、例えば乗車予測人数に応じた複数のエレベータの運転速度が予め定義されているものとする。このような設定情報によれば、制御部３５５ｂは、当該設定情報において定義されているステップＳ４において検出された乗車予測人数に応じた運転速度（第１の運転速度）をエレベータの運転速度として決定することができる。
【００６０】
具体的には、例えば乗車予測人数が多い場合には、利用者の利便性を優先して通常運転時と同程度の運転速度（以下、定格速度と表記）がエレベータの運転速度として決定される。一方、例えば乗車予測人数が少ない場合には、定格速度よりも遅い運転速度がエレベータの運転速度として決定される。このように、エレベータの運転速度は、乗車予測人数に応じて段階的に変更されるものとする。なお、乗車予測人数が多いことまたは少ないことは、乗車予測人数が予め定められた閾値以上であるか等によって判定されるものとする。
【００６１】
ここでは、乗車予測人数からエレベータの運転速度が決定されるものとして説明したが、運転速度は、例えば乗車予測人数に含まれる各利用者が待機している乗場の位置（階数）等を考慮して決定されても構わない。例えば停電時にはビル等の建物から外に退避することがあるが、このような場合において、当該ビルの上層階の乗場で多くの利用者が待機している場合には定格速度がエレベータの運転速度として決定されることができる。一方、多くの利用者が待機している場合であっても当該利用者が待機している乗場が比較的下層階である場合には、当該定格速度よりも遅い運転速度がエレベータの運転速度として決定されるような構成としてもよい。
【００６２】
次に、制御部３５５ｂは、ステップＳ５において決定されたエレベータの運転速度で乗りかご４が移動するように、エレベータの運転を制御する（ステップＳ６）。この場合、ステップＳ５において決定されたエレベータの運転速度がエレベータの運転前に設定されることによって、エレベータの運転時には当該設定された運転速度に応じた電力がバッテリ２４から駆動装置１０に供給される。駆動装置１０がこの電力に基づいて巻上機２を駆動することによって、エレベータ（乗りかご４）は、ステップＳ５において決定された運転速度で運転される。
【００６３】
一方、ステップＳ２においてバッテリ残量が閾値以上でない（つまり、閾値未満である）と判定された場合（ステップＳ２のＮＯ）、制御部３５５ｂは、エレベータの低速運転を実施する（ステップＳ７）。低速運転においては、制御部３５５ｂは、バッテリ残量の枯渇を回避するために、上記したステップＳ５において決定されるエレベータの運転速度（例えば、定格速度等）よりも遅い運転速度（第２の運転速度）で乗りかご４が移動するように、エレベータの運転を制御する。
【００６４】
この場合、低速運転におけるエレベータの運転速度がエレベータの運転前に設定されることによって、エレベータの運転時には当該設定された運転速度に応じた電力がバッテリ２４から駆動装置１０に供給される。駆動装置１０がこの電力に基づいて巻上機２を駆動することによって、エレベータ（乗りかご４）は、低速運転における運転速度で運転される。これによれば、ステップＳ６においてバッテリ２４から駆動装置１０に供給される電力と比較して、より少ない電力でエレベータの運転を実施することができる。
【００６５】
なお、上記したステップＳ５において乗車予測人数が少ない場合に決定される運転速度は、低速運転における運転速度と同程度の速度であってもよいし、当該運転速度よりも早い速度であってもよい。
【００６６】
また、本実施形態においてはバッテリ残量が閾値未満である場合には上記したように低速運転を実施するが、回生運転時にはバッテリ２４から電力を供給する必要がない。このため、バッテリ残量が閾値未満である場合であっても回生運転時には例えば定格速度でエレベータを運転する構成としてもよい。
【００６７】
更に、バッテリ残量が閾値未満である場合には、回生運転が実施可能な場合にのみ乗場呼び登録情報に応答するようにエレベータを運転するようにしてもよい。換言すれば、乗りかご４を回生運転方向に移動させる乗場呼び登録情報にのみ応答して乗りかご４を移動させ、利用者を乗車させるようにしてもよい。この場合、電力消費の抑制のため、力行運転となる乗場呼び登録情報については応答しないものとする。なお、回生運転を実施可能か否かについては、各階の乗場の乗車予測人数（つまり、当該乗場において乗車する利用者の人数）及び乗場呼び登録情報によって示される乗場の位置及び行先方向から判定することが可能である。
【００６８】
また、バッテリ残量が閾値未満である場合には、各階の乗場の利用者にバッテリ残量が少ないことを通知するようにしてもよい。停電時には上記した駆動装置１０及びエレベータ制御装置３０以外に乗場（乗場呼び登録装置等）に対してもバッテリ２４から電力が供給される。このため、例えば乗場への電力の供給を遮断または抑制した場合には、乗場に設けられている照明を消灯または減灯させることができる。これによれば、バッテリ残量が閾値未満である場合に、乗場で待機する利用者にバッテリ残量が少ないことを通知することができる。
【００６９】
上記した図３に示す処理は停電時に実行されるため、例えばバッテリ残量が閾値以上である場合であっても省電力化を図ることは重要である。このため、乗車予測人数が０である（または少ない）場合には、例えばエレベータ制御装置３０（に備えられる制御マイコン３５）以外の駆動装置１０及び乗場等への電力の供給を遮断する構成としてもよい。
【００７０】
なお、上記した図３に示す処理は、例えば予め定められた数（例えば、１つ）の乗場呼び登録情報に応答してエレベータ（乗りかご４）が運転される度に実行されてもよいし、予め定められた時間毎に実行されても構わない。
【００７１】
また、図３においてはエレベータの運転速度が制御されるものとして説明したが、当該運転速度に加えて、例えばエレベータの加減速度が制御される構成としてもよい。
【００７２】
上記したように本実施形態においては、停電時におけるエレベータの運転時に、エレベータ制御装置３０に電力を供給することによって減少するバッテリ残量（バッテリ２４の充電残量）を検出し、乗場を含む画像に基づいて乗車予測人数（乗場から乗りかご４に乗車すると予測される利用者の人数）を検出し、当該バッテリ残量及び当該乗車予測人数に基づいてエレベータの運転速度を制御する（つまり、停電時における運転速度の設定を可変とする）。
【００７３】
この場合、本実施形態においては、バッテリ残量及び乗車予測人数に基づいてエレベータの運転速度を決定し、当該エレベータの運転速度に応じた電力がバッテリ２４から巻上機２を駆動する駆動装置１０に供給される。具体的には、バッテリ残量が予め定められた値以上である場合には、乗車予測人数に応じた運転速度（第１の運転速度）がエレベータの運転速度として決定される。一方、バッテリ残量が予め定められた値未満である場合には、乗車予測人数に応じて決定される運転速度よりも遅い運転速度（第２の運転速度）がエレベータの運転速度として決定される。
【００７４】
本実施形態においては、このような構成により、乗場で待機する利用者の人数の変化等に基づくエレベータの用途に応じて停電時であってもエレベータを高速運転をすることができると共に、バッテリ残量が少ない場合には低速運転を実施することによりエレベータの長時間継続運転を可能とする。
【００７５】
すなわち、本実施形態においては、バッテリ残量及び乗車予測人数に基づく最適制御により、運転効率のよい運転速度でエレベータを運転することが可能となるため、輸送能力向上による利用者の利便性の向上及び省電力化の双方を実現することが可能となる。
【００７６】
また、本実施形態においては、バッテリ残量が閾値未満である場合であっても、例えばエレベータの回生運転時には上記した低速運転時よりも早い速度（第３の運転速度）でエレベータを運転する構成としてもよい。このような構成によれば、バッテリ２４から供給される電力を使用することなく、通常運転時と同程度の速度でエレベータを運転することが可能となるため、利用者の利便性の向上と省電力化を両立させることができる。
【００７７】
また、本実施形態においては、乗車予測人数が予め定められた値以下である場合、バッテリ２４から駆動装置１０への電力の供給を遮断する構成とすることによって、省電力化を図る構成としてもよい。なお、この場合においては、エレベータ制御装置３０（に備えられる制御マイコン３５）に電力が供給されていればよいため、当該エレベータ制御装置３０以外の他の構成要素への電力の供給が遮断されればよい。この他の構成要素には、例えば乗りかご４及び各階の乗場に設置されている乗場呼び登録装置等が含まれる。なお、エレベータ制御装置３０以外の他の構成要素への電力供給が遮断された後にカメラ４０によって撮影された画像から乗場で待機する利用者が検出された場合には、当該電力供給の遮断を解除してもよい。
【００７８】
更に、本実施形態においては、バッテリ残量が閾値未満である場合に、例えばバッテリ２４から乗場への電力の供給を遮断すること等によって、当該バッテリ残量が少ないことを当該乗場で待機する利用者に通知するような構成であってもよい。このような構成によれば、乗場で待機する利用者にエレベータを利用しないことを促すことができるため、エレベータが利用されることによる電力消費を回避することができる。
【００７９】
また、本実施形態においては、バッテリ残量が閾値未満である場合であって、エレベータの回生運転が実施可能であると判定される場合にのみ利用者を乗車させるようにエレベータの運転が制御される構成としてもよい。このような構成によれば、力行運転による電力消費を回避するとともに、回生運転によって生じる電力を利用してバッテリを充電することができるため、エレベータの長時間継続運転に寄与することができる。
【００８０】
ここで、上記した構成によれば停電時におけるエレベータの利用者の利便性向上と省電力化（長時間継続運転）の双方を実現することが可能であるが、本実施形態においては、更にバッテリ２４の長寿命化をも考慮したエレベータの運転制御を行うものとする。
【００８１】
具体的には、本実施形態における制御部３５５ｂは、バッテリ２４の劣化に対する影響を抑制するように当該バッテリ２４の充放電量を制御（調整）するものとする。
【００８２】
一般的に、バッテリ２４は充放電を繰り返すことによって劣化するが、特に急速な充放電が行われた場合には、当該バッテリ２４の劣化に対する影響が大きい。このため、本実施形態においては、例えばバッテリ残量が予め定められた範囲内にある場合には、急速な充放電が行われないように（つまり、バッテリ２４が長寿命となるように）、力行運転時におけるバッテリ２４からの放電量のパターン及び回生運転時におけるバッテリ２４への充電量のパターンを可変制御する。これによれば、バッテリ２４の長寿命化を実現することができる。
【００８３】
また、バッテリ２４からの急速な放電は、エレベータ（乗りかご４）の加減速時に行われる場合が多い。このため、本実施形態においてはエレベータの運転速度を制御するものとして主に説明したが、例えばバッテリ２４の長寿命化の観点からエレベータの加減速度を制御するような構成としてもよい。
【００８４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００８５】
１…商用電源、２…巻上機、３…ロープ、４…乗りかご、５…カウンタウェイト、１０…駆動装置、１１…コンバータ、１２…平滑コンデンサ、１３…インバータ、２０…バッテリ装置、２１…ＡＣ／ＤＣ変換器、２２…ＤＣ／ＤＣ変換器、２３…ＤＣ／ＤＣ変換器、２４…バッテリ、３０…エレベータ制御装置、３１…制御電源トランス、３２…非常用電源装置、３３…制御電源装置、３４…照明電源装置、３５…制御マイコン、４０…カメラ、３５１…停電検出部、３５２…バッテリ残量検出部（第１の検出部）、３５３…画像取得部、３５４…格納部、３５５…運転制御部、３５５ａ…解析部（第２の検出部）、３５５ｂ…制御部。
【図１】
2017165542.tif 000003
【図２】
2017165542.tif 000004
【図３】
2017165542.tif 000005
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
充電された電力を供給可能に構成されるバッテリを利用して停電時にエレベータの運転を制御するエレベータ制御装置において、
前記エレベータ制御装置に電力を供給することによって減少するバッテリの充電残量を検出する第１の検出手段と、
前記エレベータを利用する利用者が乗りかごに乗車する乗場を含む画像を取得する取得手段と、
前記取得された画像に基づいて、前記乗場から乗りかごに乗車すると予測される利用者の人数を検出する第２の検出手段と、
前記検出されたバッテリの充電残量及び前記検出された利用者の人数に基づいて、前記エレベータの運転速度を制御する制御手段と
を具備し、
前記制御手段は、
前記検出されたバッテリの充電残量が予め定められた値以上である場合、前記検出された利用者の人数に応じた第１の運転速度を前記エレベータの運転速度として決定し、
前記決定されたエレベータの運転速度に応じた電力を、前記バッテリから供給される電力を受けて巻上機を駆動する駆動装置に供給する
ことを特徴とするエレベータ制御装置。
【請求項２】
前記制御手段は、前記検出されたバッテリの充電残量が予め定められた値未満である場合、前記第１の運転速度よりも遅い第２の運転速度を前記エレベータの運転速度として決定することを特徴とする請求項１記載のエレベータ制御装置。
【請求項３】
前記制御手段は、前記エレベータの回生運転時には前記第２の運転速度よりも早い第３の運転速度を前記エレベータの運転速度として決定することを特徴とする請求項２記載のエレベータ制御装置。
【請求項４】
前記制御手段は、前記検出された利用者の人数が予め定められた値以下である場合、前記バッテリから前記駆動装置への電力の供給を遮断することを特徴とする請求項１記載のエレベータ制御装置。
【請求項５】
前記制御手段は、前記検出されたバッテリの充電残量が予め定められた値未満である場合、前記乗場で待機する利用者に当該バッテリの充電残量が少ないことを通知することを特徴とする請求項１記載のエレベータ制御装置。
【請求項６】
前記制御手段は、前記バッテリから前記乗場への電力の供給を遮断または抑制することによって当該乗場で待機する利用者に当該バッテリの充電残量が少ないことを通知することを特徴とする請求項５記載のエレベータ制御装置。
【請求項７】
前記制御手段は、
前記検出されたバッテリの充電残量が予め定められた値未満である場合、前記検出された利用者の人数に基づいて、前記エレベータの回生運転を実施可能であるかを判定し、
前記エレベータの回生運転を実施可能であると判定された場合、前記利用者を乗車させるように前記エレベータの運転を制御する
ことを特徴とする請求項１記載のエレベータ制御装置。
【請求項８】
前記制御手段は、前記バッテリの劣化に対する影響を抑制するように前記バッテリの充放電量を制御することを特徴とする請求項１記載のエレベータ制御装置。
【請求項９】
充電された電力を供給可能に構成されるバッテリを利用して停電時にエレベータの運転を制御するエレベータ制御装置が実行するエレベータ制御方法であって、
前記エレベータ制御装置に電力を供給することによって減少するバッテリの充電残量を検出するステップと、
前記エレベータを利用する利用者が乗りかごに乗車する乗場を含む画像を取得するステップと、
前記取得された画像に基づいて、前記乗場から乗りかごに乗車すると予測される利用者の人数を検出するステップと、
前記検出されたバッテリの充電残量及び前記検出された利用者の人数に基づいて、前記エレベータの運転速度を制御するステップと
を具備し、
前記制御するステップは、
前記検出されたバッテリの充電残用が予め定められた値以上である場合、前記検出された利用者の人数に応じた第１の運転速度を前記エレベータの運転速度として決定するステップと、
前記決定されたエレベータの運転速度に応じた電力を、前記バッテリから供給される電力を受けて巻上機を駆動する駆動装置に供給するステップと
を含む
ことを特徴とするエレベータ制御方法。
【手続補正２】
【補正対象書類名】明細書
【補正対象項目名】００１２
【補正方法】変更
【補正の内容】
【００１２】
実施形態によれば、充電された電力を供給可能に構成されるバッテリを利用して停電時にエレベータの運転を制御するエレベータ制御装置が提供される。前記エレベータ制御装置は、第１の検出手段と、取得手段と、第２の検出手段と、制御手段とを具備する。前記第１の検出手段は、前記エレベータ制御装置に電力を供給することによって減少するバッテリの充電残量を検出する。前記取得手段は、前記エレベータを利用する利用者が乗りかごに乗車する乗場を含む画像を取得する。前記第２の検出手段は、前記取得された画像に基づいて、前記乗場から乗りかごに乗車すると予測される利用者の人数を検出する。前記制御手段は、前記検出されたバッテリの充電残量及び前記検出された利用者の人数に基づいて、前記エレベータの運転速度を制御する。前記制御手段は、前記検出されたバッテリの充電残量が予め定められた値以上である場合、前記検出された利用者の人数に応じた第１の運転速度を前記エレベータの運転速度として決定し、前記決定されたエレベータの運転速度に応じた電力を、前記バッテリから供給される電力を受けて巻上機を駆動する駆動装置に供給する。